(57)【特許請求の範囲】
【請求項１】
入力端子及び出力端子を有するパッケージ内に設けられ、前記入力端子から入力され、少なくとも第１の無線周波数帯の第１の信号と第２の無線周波数帯の第２の信号からなる入力信号を、前記第１の信号を第１の電力レベルに電力増幅し、前記第２の信号を前記第１の電力レベルよりも低い第２の電力レベルに電力増幅した伝送信号として前記出力端子に供給するＦＥＴ(Field Effect Transistor)であって、前記第２の信号の入力レベルに応じて前記第２の電力レベルが線形に変化する状態で、前記第１の信号の入力レベルに応じて前記第１の電力レベルが非線形に変化するとき、前記第１の信号に応じて前記第２の信号の抑圧が発生する入出力特性を有する、前記ＦＥＴと、
前記ＦＥＴを駆動させるバイアス回路のインダクタ成分によって生じるインピーダンスを低減して出力する第１のデカップリング素子と、
前記パッケージ内のＦＥＴに対し駆動電力を供給する電源回路と、
前記電源回路に対し前記出力端子からの前記第１及び第２の無線周波数帯成分をカットする第２のデカップリング素子と、
前記第１のデカップリング素子と前記第２のデカップリング素子との間に並列に設けられ、前記第１のデカップリング素子及び前記第２のデカップリング素子との反共振を抑えながら広帯域にバイアス回路のインピーダンスを下げることにより前記第２の信号の抑圧の発生を抑える第３のデカップリング素子とを具備することを特徴とする電力増幅装置。
【請求項２】
前記ＦＥＴの前記入力端子から入力される入力信号は、多値変調の信号であることを特徴とする請求項１記載の電力増幅装置。
【請求項３】
前記第１乃至第３のデカップリング素子それぞれのキャパシタ値は、第２のデカップリング素子＞第３のデカップリング素子＞第１のデカップリング素子の関係であることを特徴とする請求項１または２記載の電力増幅装置。
【請求項４】
前記第１のデカップリング素子は、前記パッケージの内部に配置され、
前記第２及び第３のデカップリング素子は、前記パッケージの外部に配置されることを特徴とする請求項１または２記載の電力増幅装置。
【請求項５】
前記第２のデカップリング素子は、前記パッケージの外部に配置され、
前記第３のデカップリング素子は、前記パッケージの内部に配置されることを特徴とする請求項１または２記載の電力増幅装置。
【請求項６】
前記第３のデカップリング素子は、前記ＦＥＴの出力端から前記伝送信号の１／４波長以内に配置されることを特徴とする請求項１または２記載の電力増幅装置。
【請求項７】
前記第２のデカップリング素子は、ダンピング抵抗素子を介して前記ＦＥＴまたは前記電源回路に接続されることを特徴とする請求項１または２記載の電力増幅装置。
【請求項８】
前記第２のデカップリング素子は、ダンピング抵抗素子を介して接地されることを特徴とする請求項１または２記載の電力増幅装置。
【請求項９】
前記第１、第２及び第３のデカップリング素子は、複数の素子で構成されることを特徴とする請求項１または２電力増幅装置。
【発明の詳細な説明】
【技術分野】
【０００１】
本発明は、通信衛星地球局などのマイクロ波帯の通信分野で用いられる固体化電力増幅器といった電力増幅装置に関する。
【背景技術】
【０００２】
衛星地球局では、送信電力を増幅する電力増幅器が使用されているが、近年、電力増幅器の電力増幅部に真空管の一種である進行波管を用いる進行波管増幅器(TWTA; Traveling Wave Tube Amplifiers)に代わって、FET(Field Effect Transistor:電界効果型トランジスタ)を使用する固体化電力増幅器(Solid State Power Amplifier; SSPA)が広まってきている。その背景には、電力増幅FETの高効率化・大電力化があり、特に窒化ガリウム系(以下GaN)の素材を用いたFET（GaN HEMT; 窒化ガリウム光電子移動度トランジスタ）の登場により、SSPAの送信出力が飛躍的に向上している。
【先行技術文献】
【特許文献】
【０００３】
【特許文献１】特開平１１−３１９８７号公報
【発明の概要】
【発明が解決しようとする課題】
【０００４】
GaN HEMTはSSPAの大電力化に有効ではあるものの、ひずみ特性に課題があることが知られている。課題となるひずみ特性の1つに、ＦＥＴのドレインないしゲートバイアスのメモリ効果による小信号抑圧の問題が挙げられる。
【０００５】
SNG（Satellite News Gathering）などの衛星通信の用途では、中継する映像素材である大電力のTV波と、中継車とテレビ局のスタジオ間の音声の連絡回線である小信号のOW波（Order Wire）を共通増幅させるシステムである。このため小信号抑圧が起こると、TV波のON/OFFによってOW波のレベルが下がり、場合によってはOW波の回線が切断されるため、小信号抑圧は極力発生を防ぐ必要がある。
【０００６】
また、広帯域化・多値変調の通信が進歩すると同様の問題が生じる。
【０００７】
本発明の目的は、大信号の変動に伴う小信号抑圧の発生を抑えることが可能で、ドレインバイアス回路を広帯域で低インピーダンスにすることを実現し得る電力増幅装置を提供することにある。
【課題を解決するための手段】
【０００８】
実施形態によれば、入力端子及び出力端子を有するパッケージ内に設けられ、入力端子から入力され、少なくとも第１の無線周波数帯の第１の信号と第２の無線周波数帯の第２の信号からなる入力信号を、第１の信号を第１の電力レベルとし、第２の信号を第１の電力レベルよりも低い第２の電力レベルに電力増幅した伝送信号として出力端子に供給するＦＥＴ(Field Effect Transistor)と、ＦＥＴを駆動させるバイアス回路のインダクタ成分によって生じるインピーダンスを低減して出力する第１のデカップリング素子と、パッケージ内のＦＥＴに対し駆動電力を供給する電源回路と、電源回路に対し出力端子からの無線周波数帯成分をカットする第２のデカップリング素子と、第１のデカップリング素子と第２のデカップリング素子との間に並列に設けられ、第１のデカップリング素子及び第２のデカップリング素子との反共振を抑えながら広帯域にバイアス回路のインピーダンスを下げることにより第２の信号の抑圧の発生を抑える第３のデカップリング素子とを備える電力増幅装置を提供できる。
【図面の簡単な説明】
【０００９】
【図１】周知のＳＮＧシステムを示す概略構成図。
【図２】ＣＷ波f_small（小信号）の出力信号の抑圧量を測定する方法を示す図。
【図３】大信号と小信号の２波を共通増幅するモデルにおけるCapture Effectの発生原理を示す図。
【図４】ＦＥＴの動作特性図。
【図５】Ｖｄｓの微分変調の発生を示すＦＥＴの等価回路図。
【図６】ＲＦ信号の周波数特性図。
【図７】小信号抑圧の発生原理を説明するために示す図。
【図８】GaN HEMTの小信号抑圧ΔPの3次元プロット図。
【図９】シャントコンデンサを実装した場合のＦＥＴの等価回路図。
【図１０】バイアス回路のエンベロープ周波数領域のインピーダンスを示す図。
【図１１】バイアスの線路長によるインダクタ成分を抑え小信号抑圧を改善する例を示す図。
【図１２】インターナルマッチングFETのパッケージ内部のウェハのドレイン端でシャントさせた場合の小信号抑圧を改善する例を示す図。
【図１３】この第１の実施形態に係る電力増幅装置の等価回路図。
【図１４】この第２の実施形態に係る電力増幅装置の等価回路図。
【図１５】この第３の実施形態に係る電力増幅装置の等価回路図。
【図１６】この第４の実施形態に係る電力増幅装置の等価回路図。
【図１７】この第５の実施形態に係る電力増幅装置の等価回路図。
【図１８】この第６の実施形態に係る電力増幅装置の等価回路図。
【図１９】他の実施形態として、上記地上デジタルテレビジョン放送の放送送信所を示す概略構成図。
【図２０】６４ＱＡＭ変調による空間ダイヤグラムを示す図。
【図２１】他の実施形態として、６４ＱＡＭ変調後の信号の周波数特性を示す図。
【発明を実施するための形態】
【００１０】
以下、本実施形態について図面を参照して詳細に説明する。
【００１１】
まず、本実施形態を説明するに先立ち、小信号抑圧の測定処理の原理について説明する。  
図１は、一例としてＳＮＧシステムを示す概略構成図であり、ＴＳは親局、ＲＳは子局をそれぞれ示している。
【００１２】
先ず親局ＴＳは、図示しない放送素材送出処理部から出力された放送素材データを符号化回路１１に入力している。符号化回路１１は、入力された放送素材データを符号化し、この符号化データを変調回路１２に出力する。変調回路１２は、入力された符号化データを所定の変調方式により変調し、この変調信号を合成・分配器１３を介して送受信部（Ｔ／Ｒ）１４に供給する。
【００１３】
送受信部１４は、上記変調信号をＲＦ帯に周波数変換したのち所定の送信電力レベルに増幅し、この増幅された高周波（大信号）をアンテナ１５から衛星回線により衛星ＳＡＴに向け送信する。
【００１４】
また、送受信部１４は、衛星ＳＡＴから到来する高周波を受信し、この受信信号を合成・分配器１３を介して復調回路１６に供給する。復調回路１６は、受信信号をデジタル復調してベースバンドの符号化データを復号回路１７に出力する。復号回路１７は、入力された符号化データを復号して元の放送素材データに戻す。
【００１５】
また、親局ＴＳには、連絡回線のデータ送出用のデータ伝送アダプタ１８と、モデム１９１〜１９ｎとが設けられる。また、データ伝送アダプタ１８には、ルータＲＴ１及びＬＡＮを介して電話機ＴＥＬ１及びサーバ装置ＳＶ１，ＳＶ２，ＳＶ３が接続される。電話機ＴＥＬ及びサーバ装置ＳＶ１，ＳＶ２，ＳＶ３から発生したデータは、ルータＲＴ１を介してデータ伝送アダプタ１８にて符号化される。
【００１６】
データ伝送アダプタ１８は、符号化された情報をモデム１９１〜１９ｎを介して合成・分配器１３に出力し、例えば連絡回線を使用した高周波の変調信号（小信号）を生成する。
【００１７】
合成・分配器１３は、上記変調回路１２から出力される大信号に、上記小信号を合成する。そして、この合成信号を上記送受信部１４により送信させる。
【００１８】
ところで、上記小信号抑圧の測定処理方法として、次のような方法がある。  
図２（ａ）に示すように、高周波の入力信号f_small（小信号）をf_large（大信号）から例えば-20dBの電力レベルに設定し、出力信号f_largeを停波させる。
【００１９】
図２（ｂ）に示すように、出力信号f_largeの送信による出力信号f_smallの出力電力の抑圧量ΔＰを、スペクトルアナライザを用いて測定する。
【００２０】
AM-AM特性に起因する小信号抑圧の問題は、AM-AM特性に課題のあるTWTAでも起きており、1990年代より『Capture Effect』の名称で知られている。AM-AM特性に起因する小信号抑圧の問題は、著書としては例えば、Gerard Maral他著  SATELLITE COMMUNICATIONS SYSTEMSのP.444〜445が挙げられる。
【００２１】
入出力線形性の悪いデバイスで、大信号と小信号の２波を共通増幅するモデルにおけるCapture Effectの発生原理を図３に示す。大信号と小信号の２波の動作点が、Pin-Pout特性の線形部分に乗っているときは、大信号の入力のON/OFFによって小信号の出力が下がることはない（図３（ｂ））。
【００２２】
しかし、小信号の動作点が、Pin-Pout特性の線形に乗ってはいるものの、大信号の動作点がPin-Pout特性の非線形領域に差し掛かったところに乗っているときは、大信号の入力のON/OFFによって小信号の出力が下がる現象が発生し、これが小信号抑圧と呼ばれる現象である（図３（ａ））。
【００２３】
しかし、TWTAで知られていたCapture Effectと異なり、GaN HEMTはAM-AM特性以外に起因するひずみ特性による小信号抑圧ΔＰが発生する問題がある。
【００２４】
FETの動作には、図４で示すようアイドル電流(Idset)の設定によって、高いIdsetからA級、AB級、B級、C級まで変化する。本実施形態で使用するAB級で動作するGaN HEMTは、出力電力Poutの増減に応じて、ドレイン電流Idsが増減する。このとき、図５で示すようにドレイン回路のインピーダンスZが有限であるとき、ZとPoutによって変動するIdsによりVdsが変動する。トランジスタのデバイスパラメータは、Vdsに依存するため、Vdsで変調を受け、これがメモリ効果を生じさせ、小信号抑圧ΔＰを発生させていた。
【００２５】
このドレインバイアスの微分変調による小信号抑圧の発生メカニズムは以下の通りである。  
周波数ω1とω2で示す2波の入力信号を（式1）のxで示し、増幅した出力信号yを（式2）で示す。
【数１】
0005571047.tif 000002
【００２６】
この式から生成される要素(コンポーネント)は図６で示される。なお、a2x2及びa3x3はひずみ成分となる。
【００２７】
（式1）と（式2）から振幅の大きな信号f_large波FL と振幅の小さなf_small波FHは（式3）と（式4）で示される。
【数２】
0005571047.tif 000003
【００２８】
（式3）と（式4）を分解すると以下の式になる。
【数３】
0005571047.tif 000004
【００２９】
f_small波 FHに着目すると、f_smallの信号成分にf_largeの振幅成分A1が含まれる2次歪の項がある。この２次歪の項は、以下となる。
【数４】
0005571047.tif 000005
【００３０】
このとき、f_large波とf_small波の信号レベルの差は大きく、A2<<A1であるため、信号レベルの小さなf_small波は信号レベルの大きなf_large波の振幅成分により抑圧が大きくなる。これらの式から、a2（非線形）とE（エンベロープ）の成分を制御することで、抑圧比を低減することが可能とわかる。
【００３１】
エンベロープ(E)に着目し、バイアス回路のｆ特性とΔＰの因果関係を示す。振幅の大きな信号f_largeの波FL と振幅の小さなf_small波FH は、（式3-1）と（式4-1）で示されるが、この式を、基本波a1x、2次歪a2x/2、3次歪a3x/4の項に分解すると、下記のように示される。
【数５】
0005571047.tif 000006
【００３２】
（式3-2）と（式4-2）は、（式1-1）で示される入力信号xが（式2）に入力された出力である。
【数６】
0005571047.tif 000007
【００３３】
ここで、基本波とEのみを考慮すると、以下の式となる。
【数７】
0005571047.tif 000008
【００３４】
ここで、f_small波FHが小信号側であり、 Eは複素数のみと仮定すると、以下の式となる。
【数８】
0005571047.tif 000009
【００３５】
上記の式で変化させるとし、このf_small波FHのレベルをf_large波FLと同じまで上げていくと、以下の式となる。
【数９】
0005571047.tif 000010
【００３６】
上式により、ΔＰが殆どなくなる。つまり、f_large波FLとf_small波FHのレベル差がないときにΔＰは発生せずし、f_large波FLとf_small波FHのレベル差があるときに小信号抑圧ΔＰが発生する場合、エンベロープ(E)が要因となっており、バイアス回路の周波数特性を改善し、エンベロープ量を低減することで、小信号抑圧は改善されると分かる。図７は式5の条件で小信号抑圧の量をグラフにしたものである。
【００３７】
図８は、GaN HEMTを用いて、f_largeとf_smallを100MHz間隔で総当りに14.0GHz〜14.5GHzの最大500MHz差まで取得した小信号抑圧ΔＰの３軸プロット図である。後述の図１０で示すように、ドレインバイアス回路のエンベロープ周波数領域のインピーダンスが十分低くないことから、大きな小信号抑圧が発生している。
【００３８】
また、f_largeとf_smallの周波数位置によって小信号抑圧の量が変わっており、その周波数関係は、非対称である。この結果は、非線形ドレインバイアス回路のエンベロープ周波数領域のインピーダンスに依存するため、回路のインピーダンスによって、３軸プロット図の結果やその傾向は変わるが、AM-AM特性のみを原因とする小信号抑圧よりも大きな抑圧量が観測される。
【００３９】
前述の通り、トランジスタのデバイスパラメータは、Vdsに依存する。図５で示すようにドレイン回路のインピーダンスZをゼロに近づけることでエンベロープが低減されVdsの変動が低減する。これにより、ドレインバイアスの微分変調Vds(t)を抑えメモリ効果に低減することで、小信号抑圧ΔＰの発生を抑える。
【００４０】
前述の数式より、２次歪のコンポーネント内に着目することで、エンベロープ(Ｅ)の要因が抽出されたことから、GaN HEMT素子のドレイン出力側に、f_largeとf_smallの差周波数のエンベロープ成分(Ｅ)を抑えるためのシャントコンデンサを実装する。これは、エンベロープ周波数領域からみたバイアス回路のインピーダンスを下げる効果があり、バイアス回路の周波数特性を改善する効果がある。図９に、概要となる回路図を、図１０にバイアス回路のエンベロープ周波数領域のインピーダンスを示す。
【００４１】
図１１で示すように、ＦＥＴのドレイン端直後でシャントすることでバイアスの線路長によるインダクタ成分を抑え小信号抑圧を改善することができる。また、図１２で示すように、インターナルマッチングＦＥＴのパッケージ内部のウェハのドレイン端でシャントさせると、更にインダクタ成分を抑え、小信号抑圧を改善することができる。
【００４２】
上記の原理に基づき、以下に本実施形態について説明する。
【００４３】
（第１の実施形態）  
図１３は、この第１の実施形態に係る電力増幅装置の等価回路図である。ここでは、上記図１の送受信部１４に設けられるものとして説明する。
【００４４】
インターナルマッチＦＥＴのパッケージ１００Ａに入力されるＲＦ信号は、入力端子１０１に供給され、ＬＣ回路１０２を介してＦＥＴ１０３により電力増幅される。ＦＥＴ１０３のドレイン・ウェハ端からの出力信号は、抵抗、コイル及びコンデンサから成るデカップリング素子１０４に供給され、当該出力信号のインダクタ成分が低減される。デカップリング素子１０４の出力信号は、ＬＣ回路１０５を介して出力端子１０６から取り出され、後段のＲＦ回路に供給される。
【００４５】
また、図１３中の符号２００は電源回路で、パッケージ１００Ａ内のＦＥＴ１０３に対しドレインの駆動電力を供給するものである。また、電源回路２００とパッケージ１００Ａとの間には、抵抗、コイル及びコンデンサから成るデカップリング素子３００がデカップリング素子１０４に対し並列となるように接続されている。
【００４６】
デカップリング素子３００は、電源回路２００に対し出力端子１０６からのＲＦ成分をカットするローパスフィルタの役割をしている。
【００４７】
ところで、本第１の実施形態では、ＦＥＴ１０３のドレイン・ウェハ端から例えばＲＦ信号のλ／４波長以内の位置に、抵抗、コイル及びコンデンサから成るデカップリング素子４００をデカップリング素子１０４，３００に対し並列となるように接続している。このデカップリング素子４００は、デカップリング素子１０４，３００との反共振を抑えながら、広帯域にドレインバイアス回路のインピーダンスを下げる素子である。また、デカップリング素子４００の容量値は、デカップリング素子１０４，３００の間の容量である。最も容量値が大きい素子は、デカップリング素子３００となる。
【００４８】
パッケージ１００Ａから出力されるＲＦ信号は、シャントされず、ＲＦ信号のf_largeとf_smallの差周波数のエンベロープ成分は、シャントされる。従って、ＲＦ信号に影響を与えずに、エンベロープ周波数領域からみたバイアス回路のインピーダンスを下げる効果があり、バイアス回路の周波数特性を改善する効果がある。
【００４９】
以上のように上記第１の実施形態では、デカップリング素子１０４によりＦＥＴ１０３のドレイン・ウェハ端直後のバイアスの線路長によるインダクタ成分を極力抑えた状態で、デカップリング素子１０４とデカップリング素子３００との間にデカップリング素子４００を並列接続しシャントして、ドレインバイアス回路のエンベロープ周波数領域を十分にショートするようにしている。
【００５０】
従って、デカップリング素子１０４，３００，４００を並列接続して、反共振を抑えながら広帯域にドレインバイアス回路のインピーダンスを下げることで、ドレインバイアスの微分変調を抑えてメモリ効果を低減し、ｆ_large信号の送信に伴うｆ_small信号の抑圧の発生を抑えることができる。
【００５１】
（第２の実施形態）  
図１４は、この第２の実施形態に係る電力増幅装置の等価回路図である。図１４において、上記図１３と同一部分には同一符号を付して説明し、詳細な説明を省略する。
【００５２】
本第２の実施形態では、デカップリング素子１０４とデカップリング素子３００との間に、デカップリング素子１０７を並列接続し、しかもデカップリング素子１０７をパッケージ１００Ｂ内に実装したものである。
【００５３】
このような第２の実施形態であれば、上記第１の実施形態と同様な作用効果が得られるとともに、上記第１の実施形態に比してさらにバイアスの線路長によるインダクタ成分を抑え小信号の抑圧を改善することができる。
【００５４】
（第３の実施形態）  
図１５は、この第３の実施形態に係る電力増幅装置の等価回路図である。図１５において、上記図１３と同一部分には同一符号を付して説明し、詳細な説明を省略する。
【００５５】
本第３の実施形態では、デカップリング素子３００と電源回路２００もしくはパッケージ１００Ａとの間に、ダンピング抵抗素子５００を介挿接続したものである。
【００５６】
上記第３の実施形態によれば、ダンピング抵抗素子５００を介してデカップリング素子３００を実装することで、例えば５００ＭＨｚまでの低インピーダンスのドレインバイアス回路のデカップリング特性を実現できる。
【００５７】
（第４の実施形態）  
図１６は、この第４の実施形態に係る電力増幅装置の等価回路図である。図１６において、上記図１４と同一部分には同一符号を付して説明し、詳細な説明を省略する。
【００５８】
本第４の実施形態では、上記第３の実施形態と同様に、デカップリング素子３００と電源回路２００もしくはパッケージ１００Ｂとの間に、ダンピング抵抗素子５００を介挿接続したものである。
【００５９】
このような第４の実施形態であっても、上記第２及び第３の実施形態と同様な作用効果が得られる。
【００６０】
（第５の実施形態）  
図１７は、この第５の実施形態に係る電力増幅装置の等価回路図である。図１７において、上記図１３と同一部分には同一符号を付して説明し、詳細な説明を省略する。
【００６１】
本第５の実施形態では、デカップリング素子３００に対しダンピング抵抗素子６００を介して接地するようにしたものである。
【００６２】
上記第５の実施形態にあっても、デカップリング素子３００に対しダンピング抵抗素子６００を介して接地することで、上記第３の実施形態と同様に、例えば５００ＭＨｚまでの低インピーダンスのドレインバイアス回路のデカップリング特性を実現できる。
【００６３】
（第６の実施形態）  
図１８は、この第６の実施形態に係る電力増幅装置の等価回路図である。図１８において、上記図１４と同一部分には同一符号を付して説明し、詳細な説明を省略する。
【００６４】
本第６の実施形態では、上記第５の実施形態と同様に、デカップリング素子３００に対しダンピング抵抗素子６００を介して接地するようにしたものである。
【００６５】
このような第６の実施形態であっても、上記第２及び上記第５の実施形態と同様な作用効果が得られる。
【００６６】
（その他の実施形態）  
上記各実施形態では、入力信号を所定の周波数差とレベル差とを有するf_largeとf_smallとを含むＲＦ信号に電力増幅する例について説明したが、所定の帯域幅とレベル差とを有する多値変調の入力信号をＲＦ信号に電力増幅するものであってもよい。
【００６７】
現在、地上デジタルテレビジョン放送では、帯域を１３セグメントに分割し、最大３階層での伝送が可能で、階層ごとに１６ＱＡＭ(Quadrature Amplitude Modulation)、６４ＱＡＭ、２５６ＱＡＭなどの多値変調方式の設定が可能である。
【００６８】
図１９は、一例として上記地上デジタルテレビジョン放送の放送送信所を示す概略構成図である。２は放送送信所を示している。放送送信所２において、再多重装置２１は、ＭＰＥＧ２のＴＳパケットを入力し、例えば放送波の伝送パラメータで決定する多重フレームパターンに従って、各パケットが属する階層を定める共に、例えば３階層分のＴＳパケット（Ｒ１，Ｒ２，Ｒ３）を多重したＴＳを生成する。このＴＳは、変調装置２２により６４ＱＡＭ等の多値変調を施されて例えば伝送帯域幅５００ＭＨｚの信号に変換された後、送信部２３でＲＦ帯に周波数変換され、インターナルマッチＦＥＴのパッケージ１００Ａにて電力増幅されて、アンテナ２４により送信される。
【００６９】
次に、上記６４ＱＡＭ変調信号の生成方法について、さらに具体的に説明する。
【００７０】
まず、変調装置２２への各入力データＲ１，Ｒ２，Ｒ３は、図２０に示すように、（０，０，０，０，０，０）…（１，１，１，１，１，１）の如く６ビットづつの組に分けられる（６４通り）。始点は任意であるものとする。
【００７１】
そして、上記６４通りの組み合わせは、（Ｉ，Ｑ）の組み合わせに割り振られると、（００００００）→（Ｉ，Ｑ）＝（７，７）……（１１１１１１）→（Ｉ，Ｑ）＝（−３，−３）となる。
【００７２】
入力データＲ１は、（００１１００）で変調が施されることで、Ｉ軸信号成分が１となり、Ｑ軸信号成分が１となる。また、入力データＲ２は、（１０１０００）で変調が施されることで、Ｉ軸信号成分が−１となり、Ｑ軸信号成分が７となる。さらに、入力データＲ３は、（１０１１１１）で変調が施されることで、Ｉ軸信号成分が−３となり、Ｑ軸信号成分が３となる。
【００７３】
変調装置２２による変調後の信号は、図２１に示すように、伝送帯域幅内に３階層分の信号（Ｒ１，Ｒ２，Ｒ３）が混在することになる。
【００７４】
ところで、上記地上デジタルテレビジョン放送においても、大信号（Ｒ２）の変動に伴い小信号（Ｒ１）の抑圧の発生が生じることも考えられる。
【００７５】
そこで、他の実施形態では、変調装置２３の変調出力をＲＦ帯に周波数変換したＲＦ信号を、上記第１の実施形態のインターナルマッチＦＥＴのパッケージ１００Ａに入力するようにしている。
【００７６】
すると、パッケージ１００Ａから出力されるＲＦ信号は、デカップリング素子３００により、シャントされず、ＲＦ信号のＲ１信号成分とＲ２信号成分の差周波数のエンベロープ成分は、シャントされる。従って、ＲＦ信号に影響を与えずに、エンベロープ周波数領域からみたバイアス回路のインピーダンスを下げる効果があり、バイアス回路の周波数特性を改善する効果がある。
【００７７】
その他、上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７８】
１１…符号化回路、１２…変調回路、１３…合成・分配器、１４…送受信部（Ｔ／Ｒ）、１５…アンテナ、１６…復調回路、１７…復号回路、１８…データ伝送アダプタ、１９１〜１９ｎ…モデム、２１…再多重装置、２２…変調装置、２３…送信部、ＲＴ１…ルータ、１００Ａ，１００Ｂ…パッケージ、１０１…入力端子、１０２…ＬＣ回路、１０３…ＦＥＴ、１０４，１０７，３００，４００…デカップリング素子、１０６…出力端子、２００…電源回路、５００，６００…ダンピング抵抗素子、ＴＳ…親局、ＲＳ…子局。
【図１】
0005571047.tif 000011
【図２】
0005571047.tif 000012
【図３】
0005571047.tif 000013
【図４】
0005571047.tif 000014
【図５】
0005571047.tif 000015
【図６】
0005571047.tif 000016
【図７】
0005571047.tif 000017
【図８】
0005571047.tif 000018
【図９】
0005571047.tif 000019
【図１０】
0005571047.tif 000020
【図１１】
0005571047.tif 000021
【図１２】
0005571047.tif 000022
【図１３】
0005571047.tif 000023
【図１４】
0005571047.tif 000024
【図１５】
0005571047.tif 000025
【図１６】
0005571047.tif 000026
【図１７】
0005571047.tif 000027
【図１８】
0005571047.tif 000028
【図１９】
0005571047.tif 000029
【図２０】
0005571047.tif 000030
【図２１】
0005571047.tif 000031